(57)【要約】  剛体撮像装置と、外科処置を実施中に関心領域のリアルタイム位置特定を行うための閉塞子との組合せは、（ａ）好ましくはアレー状のガンマ放射線位置感知性光電子増倍管のから構成される、剛体撮像格子と、（ｂ）前記剛体撮像格子を介して関心領域を含む塊内に挿入されるもので、（１）第１の閉端部と遠位開口端を有する外管と、（２）放射性トレーサを含む挿入端部と、前記遠位開口端に挿入される遠端部を有する内管とを備える閉塞子とを具備し、関心領域を含む前記塊内に前記第１の閉端部が挿入され、前記放射線源が外科処置実施中にこの関心領域に対してマーカを提供する組合せを提供する。【選択図】図５
2011528255.tif 000002
【特許請求の範囲】
【請求項１】
剛体位置特定と、定位的ガンマ撮像装置と、外科処置を実施中に関心領域のリアルタイム位置特定を行うための閉塞子との組合せに於いて、
（ａ）      を備える剛体位置特定と、
（ｂ）検査中の塊内の関心領域の空間位置を計算する上で有用な画像を得るための定位的ガンマ撮像装置と、
（ｃ）前記剛体位置特定格子を介して前記塊内に挿入されるもので、
（ｉ）第１の閉端部とそこから遠位の開口端部を有する外管と、
（ｉｉ）放射性トレーサを含む挿入端部と、前記遠位開口端部に挿入される遠端部を有する内管とを備える閉塞子とを具備する組合せにして、
関心領域を含む前記塊内に前記第１の閉端部が挿入され、前記放射線源が以降の撮像中に前記関心領域用のマーカを提供し、それにより以降の処置のために前記関心領域の特定の位置特定を提示する組合せ。
【請求項２】
前記剛体位置特定格子は、１組の立体視傾斜孔コリメータとアレー状のガンマ放射線線感知性結晶と位置感知性光電子増倍管からなる定位的ガンマ撮像装置に対し機械的に相互に位置合わせされた請求項１に記載の組合せ。
【請求項３】
検査中の塊内の関心領域をリアルタイムに撮像し、位置特定する方法にして、定位的ガンマ撮像装置とこの関心領域のリアルタイム位置特定を行うための閉塞子との組合せを用いて前記塊を露出させることを含む方法であって、前記組合せは、
（ａ）アレー状のガンマ放射線位置感知性光電子増倍管を備える定位的ガンマ撮像装置と、
（ｂ）関心領域を含む塊内にこのアレー状のガンマ放射線位置感知性光電子増倍管を介して挿入されるもので、
（ｉ）第１の閉端部とそこから遠位の開口端部を有する外管と、
（ｉｉ）放射性トレーサを含む挿入端部と、前記遠位の開口端部に挿入される遠端部を有する内管とを備える閉塞子と
を具備する組合わせであり、
関心領域を含む前記塊内に前記第１の閉端部が挿入され、前記放射線源が以降の処置のためにこの領域用のマーカを提供する方法。
【請求項４】
（ｉ）第１の閉端部とそこから遠位の開口端部を有する外管と、
（ｉｉ）放射性トレーサを含む挿入端部と、前記遠位の開口端部に挿入される遠端部を有する内管と
を備える閉塞子。
【発明の詳細な説明】
【技術分野】
【０００１】
本発明は、ガンマ誘導式定位的撮像に関し、より詳細には画像位置特定を検証するための閉塞子装置及びその使用方法に関する。
【背景技術】
【０００２】
ガンマ誘導式定位的撮像・位置特定では、異なる角度で撮像された対象物の２つのガンマカメラ画像を用いてその対象物の関心領域の３次元的位置を決定する。この位置は、例えば、被検腫瘍内に針を位置決めし、生体組織検査用の組織サンプルを収集するために使用される。処理手順中にその位置をリアルタイムに検証することが望ましい場合もある。この場合には、関心領域における当該位置にマーカを配置する必要がある。ガンマカメラで撮像するためには、このマーカは放射性であり、放射線汚染を残すことなく除去可能でなければならず、且つ検証時には画像中に目視されなければならない。
【発明の概要】
【発明が解決しようとする課題】
【０００３】
従って、ガンマ撮像中にリアルタイム検証を行うためにその様なマーカを提供するシステムや方法及び装置が必要となる。
【０００４】
そこで、本発明は、定位的ガンマ撮像中にリアルタイムな位置特定情報を提示する装置及び方法を提供することを目的とする。
【課題を解決するための手段】
【０００５】
本発明は、剛体位置特定格子と、定位的ガンマ撮像装置と、外科処置を実施中に関心領域のリアルタイム位置特定を行うための閉塞子との組合せにして、（ａ）好ましくは（ｘ、ｙ）変換段階で座標格子から構成される、剛体格子位置決めシステムと、（ｂ）好ましくは立体視コリメータとガンマ撮像装置を備える、定位的ガンマ撮像装置と、（ｃ）前記剛体格子位置決めシステムを介して関心領域を含む塊内に挿入されるもので、（１）第１の閉端部と遠位にある開口端部を有する外管と、（２）放射性トレーサを含む挿入端部と、前記遠位の開口端部に挿入される遠端部を有する内管とを備える閉塞子とを具備する組合わせであって、関心領域を含む前記塊内に前記第１の閉端部が挿入され、前記放射線源が外科処置実施中にこの関心領域用のマーカを提供する組合せを提供する。
【図面の簡単な説明】
【０００６】
【図１】本発明の閉塞子の内管の断面図である。
【０００７】
【図２】本発明の閉塞子の外管の断面図である。
【０００８】
【図３】放射性マーカを含む内管が本発明に従って外管に挿入されている状態の本発明の閉塞子の断面図である。
【０００９】
【図４】格子位置決めシステムと共に使用されている本発明の閉塞子の上面図である。
【００１０】
【図５】図４に示した処置の断面図であり、格子位置決めシステムと定位的ガンマ撮像装置と共に使用されている閉塞子を示す図である。
【発明を実施するための形態】
【００１１】
添付図面において、本発明の閉塞子１０（組み立て完成品としては図３に最もよく示す）は、内管１２（特に図１を参照）と無菌の外管１４（特に図２を参照）を備えている。図３に示す通り、組み立てた構成において、内管１２は外管１４に挿入されている。この内管１２は、放射線源あるいは放射性マーカ１８を含む挿入端部１６と、遠位端２０を有する。前記外管１４は、閉端部２２と遠端部２４を有する。この遠端部２４は開口しており、この開口部を介して前記放射性マーカ１８を含む内管１２が挿入される。操作、装着、組み立てなどの目的で、各種の器具２６，２８が前記内管１２と外管１４に装着することができる。
【００１２】
図４及び図５に示す通り、本発明の好ましい実施例に従って使用する際に、閉塞子１０は、剛体格子位置決めシステム３０と、特定の関心領域を含む塊３２の検視に用いられる定位的ガンマ撮像装置（４０，４２）と協働して使用される。図４に示す通り、閉塞子１０は位置特定格子３０の孔３４を介して挿入される。この位置特定格子３０は、好ましくは一対のスラントホールコリメータから構成される立体視コリメータシステム（４０）と、先行技術で周知であり広範囲の記載がある位置感知性光電子増倍管から構成されるガンマ撮像装置（４２）とを備える、定位的撮像装置と機械的に位置合わせされている。図５に最もよく示す通り、前記定位的ガンマ撮像装置３０を介して挿入後、前記閉端部２２は前記関心領域を含む前記塊３２に挿入され、前記放射性マーカ１８は、この定位的撮像装置（４０，４２）を用いて撮像中にはこの関心領域内に位置している。
【００１３】
実際の使用では、閉塞子１０は図３に示す様に組み立てられている。前記剛体格子位置決めシステム３０と定位的ガンマ撮像装置４０／４２は、前記塊３２に隣接して位置し、この塊３２の画像を取得する。このように取得されたこれらの画像中に観察される塊３２の関心領域の位置が決定されて、それらの空間位置（Ｘ、Ｙ、Ｚの位置）が計算される。次に、前回取得した画像に基づき、この塊３２を計算された関心領域の位置まで切開する。次に、閉塞子１０が切開で形成された開口部に必要な深さまで挿入される。次に、この閉塞子を撮像し、放射線源１８を含む第１端部１６が適切な位置にあるか否か、即ち、前記前回取得した画像から決定された関心領域の位置にあるか否かを判断する。一旦適切な領域が正確に位置特定されたことが確実になると、閉塞子１０は取り出され、生体組織検査針の挿入や組織サンプルの摘出等の所望の処置が行われる。
【００１４】
以上、閉塞子と、定位的ガンマ撮像中の関心領域をリアルタイムで位置特定を可能にするその使用方法について述べた。
【００１５】
以上、本発明を説明したが、当業者には自明の様に、本発明は、その精神及び技術範囲から逸脱しない限り様々な変更が可能である。この様な変更例はいかなるものも全て特許請求の範囲に包含されているものである。
【図１】
2011528255.tif 000003
【図２】
2011528255.tif 000004
【図３】
2011528255.tif 000005
【図４】
2011528255.tif 000006
【図５】
2011528255.tif 000007
【国際調査報告】
2011528255.tif 000008